(57)【要約】【課題】色調の調整時の色ムラを少なくしながら、発光の色調を調整することができる発光装置を提供すること。【解決手段】発光素子と、前記発光素子が発する光を吸収して異なる波長の光を発する波長変換材料を含む波長変換部材を備え、前記波長変換部材の形状を変形させることが可能な変形部材と、前記波長変換部材の上面に、前記変形時に前記波長変換部材の表面形状を保つ保持部材とを備える。【選択図】図２
2015226002.tif 000002
【特許請求の範囲】
【請求項１】
発光素子と、前記発光素子が発する光を吸収して異なる波長の光を発する波長変換材料を含む波長変換部材を備え、
前記波長変換部材の形状を変形させることが可能な変形部材と、前記波長変換部材の上面に、前記変形時に前記波長変換部材の表面形状を保つ保持部材とを備えたことを特徴とする、発光装置。
【請求項２】
前記波長変換部材は、前記発光素子の光出射面側に設けられており、前記保持部材は、前記波長変換部材の表面形状と対応した形状を有する透光性の部材である、請求項１に記載の発光装置。
【請求項３】
前記保持部材が前記変形部材を兼ねる、請求項１または２に記載の発光装置。
【請求項４】
前記保持部材を支持する支持部を有する、請求項３に記載の発光装置。
【請求項５】
前記保持部材は、前記波長変換部材の側方にも設けられている、請求項１から３のいずれか１項に記載の発光
【請求項６】
前記波長変換部材の側方に設けられた保持部材は、前記変形時に、発光装置の中心から外側方向に移動することを特徴とする、請求項５に記載の発光装置。
【請求項７】
前記波長変換部材が、液状であることを特徴とする、請求項１から６のいずれか１項に記載の発光装置。
【請求項８】
前記変形部材によって前記波長変換部材の形状を変化させることで、前記発光装置の発光色を変化させることが可能なことを特徴とする、請求項１から７のいずれか１項に記載の発光装置。
【発明の詳細な説明】
【技術分野】
【０００１】
本発明は発光素子と波長変換部材を備える発光装置に関わり、発光装置の発光ムラを抑制し色度を調整する技術に関わる。
【背景技術】
【０００２】
近年、発光素子チップ（発光素子）や、発光素子と発光素子からの光を吸収して異なる波長の光を発する蛍光体とを組み合わせて用いた発光装置が、各種の照明装置に用いられている。このような発光装置は、チップや蛍光体等にばらつきがあるために、同様に生産しても得られる発光装置は異なる色度を持つ。
【０００３】
この問題を解決するため、従来、発光装置の製造工程内で、ばらつきを抑制する工夫がなされてきたが、製造工程で厳格な色度の管理をするのではなく、製造後に色度を調整する技術も提案されている。
【０００４】
例えば、特許文献１ に、発光素子を封止する波長変換部材の厚みを変化させることで、色度を調整する技術が提供されている。
【０００５】
上記技術は、波長変換部材を押圧することで変形させて光照射方向の厚みを変化させることで、色度を可逆的に調整するというものである。
また、発光装置を製造した後、例えば発光装置を組み込んだ照明装置の使用中に発光の色調を調整したいという要望もある。
【先行技術文献】
【特許文献】
【０００６】
【特許文献１】特開2011-171358号公報
【発明の概要】
【発明が解決しようとする課題】
【０００７】
しかし、上記に示す色度調整方法では、波長変換部材の変形後の形状、特に波長変換部材の光出射面側の表面の形状を制御する機構がないため、意図せず発光色が異なる（色ムラが発生する）という問題がある。
【０００８】
本発明は、上記課題に鑑みてなされたものであり、色調の調整時の色ムラを少なくしながら、発光の色調を調整することができる発光装置を提供することを目的とする。
【課題を解決するための手段】
【０００９】
本発明の一つの態様は、発光素子と、前記発光素子が発する光を吸収して異なる波長の光を発する波長変換材料を含む波長変換部材を備え、前記波長変換部材の形状を変形させることが可能な変形部材と、前記変形時に前記波長変換部材の表面形状を保つ保持部材を備えたことを特徴とする、発光装置である。
【発明の効果】
【００１０】
これにより、色ムラを少なくしながら発光の色調を調整できる発光装置を提供できる。
【図面の簡単な説明】
【００１１】
【図１】本発明の１つの実施形態について説明する側断面図である。
【図２】本発明の１つの実施形態に関して、波長変換部材を変形させた状態を説明する側断面図である。
【図３Ａ】本発明の保持部材の一例を説明する側断面図である。
【図３Ｂ】本発明の保持部材と波長変換部材の一例を説明する側断面図である。
【図４】本発明の１つの実施形態について説明する側断面図である。
【図５】本発明の１つの実施形態に関して、波長変換部材を変形させた状態を説明する側断面図である。
【図６】本発明の１つの実施形態について説明する側断面図である。
【図７】本発明の１つの実施形態に関して、波長変換部材を変形させた状態を説明する側断面図である。
【図８】本発明の１つの実施形態について説明する側断面図である。
【図９】本発明の１つの実施形態に関して、波長変換部材を変形させた状態を説明する側断面図である。
【図１０Ａ】本発明の１つの実施形態に関して説明する上面図である。
【図１０Ｂ】本発明の１つの実施形態に関して、波長変換部材を変形させた状態を説明する上面図である。
【発明を実施するための形態】
【００１２】
本発明を実施するための形態を、以下に図面を参照しながら説明する。ただし、以下に示す形態は、本発明の技術思想を具現化するための被覆部材付き発光素子及び発光装置を例示するものであって、以下に限定するものではない。また、実施の形態に記載されている構成部品の寸法、材質、形状、その相対的配置等は、特定的な記載がない限り、本発明の範囲をそれのみに限定する趣旨ではなく、単なる例示に過ぎない。尚、各図面が示す部材の大きさや位置関係等は、説明を明確にするために誇張していることがある。
【００１３】
（実施形態１）
本発明の第１実施形態における発光装置の構造を、図１を参照して説明する。図１は、本発明の発光装置の一実施形態を示す側断面図である。この発光装置は、導体パターンが形成された基板１１上に実装されたLED チップ等の発光素子１３を有している。
【００１４】
また、基板１１上には、発光素子１３（より詳細には、発光素子１３の光出射面となる上面と、発光素子１３の側面）を被覆する波長変換部材１５と、波長変換部材１５を変形させることが可能な変形部材１９とが備えられている。本実施形態の変形部材１９は、波長変換部材１５の側面を囲い、波長変換部材の側面と密着するよう配置されている。波長変換部材１５の光出射面側の面（上面）は略平坦である。
【００１５】
また、波長変換部材１５の光照射方向の表面形状を保持するために、透光性の保持部材１７が、波長変換部材１５の上方に備えられている。本実施形態においては、波長変換部材１５の上方に保持部材１７を支持するため、変形部材１９が保持部材１７を支持する支持部を兼ねている。
図１に示すように、保持部材１７の波長変換部材１５と対向する面（接触面）は、略平坦である。また、波長変換部材１５が変形していない状態では波長変換部材１５と保持部材１７は離間している。
【００１６】
図２に示すように、変形部材１９を発光装置の中心方向に移動させることで、変形部材１９により波長変換部材１５を側面方向から押圧し、波長変換部材１５を変形させる。この時、波長変換部材１５の光照射方向の厚みが変化する。そして、この変形の際、保持部材１７（より詳細には保持部材１７の接触面）が波長変換部材１５の上面と接触することで、波長変換部材の表面形状を保持部材との接触面と同形状に保持することができる。
【００１７】
上記により、波長変換部材の表面形状を保持したまま、発光の色調を調整することができる。
【００１８】
保持部材１７の形状によって、波長変換部材１５の表面形状は任意のものとすることができる。例えば、上記の実施形態では、保持部材１７の接触面の形状は、波長変換部材１５の変形前の表面形状と略同様の形状としたが、変形前の表面形状と異なる形状としてもよい。たとえば、図３Ａに示すように、保持部材１７の接触面を曲面とすることで、図３Ｂに示すように、波長変換部材１５の変形時の表面形状を保持部材の曲面と対応した形状とすることができる。
【００１９】
（実施形態２）
本発明の第２実施形態における発光装置の構造を、図４を参照して説明する。この発光装置は、基板１１上に、波長変換部材１５を備え、さらに、波長変換部材１５の表面形状を保持したまま光照射方向から押圧する保持部材１７を備えている。この保持部材１７は本実施形態において、変形部材を兼ねており、保持部材１７は、波長変換部材１５を押圧する透光性の押圧面１８を備える。
保持部材１７を支持するため、基板１１に接続され、保持部材１７を支持する支持部２０を備える。
保持部材１７の押圧面１８は波長変換部材１５の上方に、保持部材１７を支持する支持部２０は波長変換部材１５の周囲に配置されている。図４では押圧面が波長変換部材１５と接触しているが、離間した状態で配置されていてもよい。
【００２０】
図５に示すように、保持部材１７の波長変換部材を押圧するための押圧面１８が、支持部２０に沿って発光装置の上面側から波長変換部材１５側に移動し、波長変換部材１５を押圧して変形させることで、光照射方向の波長変換部材１５の厚みが変化する。この場合でも、波長変換部材１５のうち、少なくとも一部の表面形状を保持部材１７の接触面の形状に制限し、保持することができる。
【００２１】
変形部材を兼ねる保持部材１７を移動させる方法の例として、モータと連動させて移動させる、空気で加圧するといった方法がある。
【００２２】
（実施形態３）
図６に示すように、保持部材を兼ねた支持部２０を波長変換部材１５の側面に設け、波長変換部材１５の形状に対応した形状とすることで、波長変換部材１５の側面形状を維持したまま変形させることができる。またこの時、凹部１２を基板１１上に設けるとよい。
【００２３】
基板１１上に凹部１２を設けることで、波長変換部材１５が上方から押圧面１８に押圧されて変形した際、波長変換部材１５の一部が凹部１２に収容される。これにより、波長変換部材１５の上面および側面の形状を保持した状態で、厚みを薄くすることができる。一方で波長変換部材１５の光照射方向側は押圧面１８に、側面は支持部を兼ねた２０により表面形状を保持されることになる。
以上より、光照射方向だけでなく側面の形状も保持したまま、波長変換部材１５を変形させ、色ムラを少なくしながら発光の色調を調整することができる。
【００２４】
本実施形態においては、波長変換部材の光出射面と側面の形状を保持しながら、発光の色調を調整することができる。
【００２５】
（実施形態４）
本発明の第４実施形態における発光装置の構造を、図８から図１０を参照して説明する。この発光装置は、波長変換部材１５の上面に、変形部材を兼ねる保持部材１７を有することに加え、波長変換部材１５の側面に、保持部材を兼ねる支持部２０を有している。
波長変換部材１５は発光装置の上方に向かって広がる形状を有しており（つまり波長変換部材１５の側面は基板１１に対して傾斜している）、支持部２０は、波長変換部材１５の側面形状とほぼ一致する側面を有している。支持部の一部２０´は、基板１１上を横方向に移動することができる。
【００２６】
図９に示すように、発光素子の上方から、保持部材１７の押圧面１８によって波長変換部材１５の上面を押圧して変形させ、波長変換部材１５の光照射方向の厚みを変化させる。この変形時、支持部の一部２０´は、波長変換部材１５の側面の角度を保持したまま、基板１１上において、発光装置の中心から外側方向に向かって水平に移動する。
【００２７】
波長変換部材１５と支持部２０の位置関係に関しての例を、図１０Ａ、図１０Ｂに示す。図１０Ａに波長変換部材１５を押圧する前の、図１０Ｂは波長変換部材１５を押圧して変形させた後の上面図である。
支持部２０は４つの部分に分離しており、上面視において該４つの部分をそれぞれ１辺とする矩形をなしており、矩形の波長変換部材１５を取り囲んでいる。
波長変換部材１５を押圧して変形させることで支持部２０が押圧され、図１０Ｂの２０´で示す向かい合う２辺が移動することで、波長変換部材１５の側面形状を保持したまま光照射方向の厚みを変化させることができる。
【００２８】
以上の方法により、実施形態４においては、波長変換部材の表面および傾斜した側方の形状を保持したまま、発光の色調を調整することができる。
【００２９】
次に、本発明の発光装置および各構成部材の構造について、以下に詳述する。
【００３０】
（発光装置）
本発明の発光装置は、正負のリード電極や反射部材等を備えたパッケージ内に発光素子を収容した表面実装型発光ダイオードや砲弾型発光ダイオード、発光素子の周囲に樹脂や蛍光体層等を形成したチップサイズパッケージ型発光ダイオードなどを用いることができる。
【００３１】
なお、発光素子は、例えば、ｐ型半導体層と、光を放出する活性層と、ｎ型半導体層と、ｐ型半導体層と電気的に接続されるｐ側電極と、ｎ型半導体層と電気的に接続されるｎ側電極を有する。発光素子の電極は、ダイボンディングやワイヤボンディングやフリップチップボンディング等によって正負のリード電極に電気的に接続されている。また、発光素子の電極は、発光装置の外部に露出して、実装基板等と接合されるリード電極とされていてもよい。
【００３２】
発光素子が波長変換部材１５や波長変換部材の変形に伴って変形する部材（例えば、波長変換部材の下方であって、発光素子の上に設けられた透光性層）に直接被覆されている場合には、発光素子はワイヤ等を用いないフリップチップボンディングで実装されることが好ましい。これにより、発光素子の断線等のおそれを低減することができる。
【００３３】
発光素子は、発光波長や材料は、例えば、青色や紫色の発光をする発光素子、例えば、サファイア基板上にＧａＮ系半導体が積層された発光素子を用いることができる。これにより、後述する波長変換部材と組み合わせて、容易に白色の光の発光装置を製造することができる。
【００３４】
（波長変換部材）
発光装置は、発光素子からの発光だけでなく、その発光を吸収して異なる波長の発光を行う波長変換部材を有している。発光装置からの発光色（発光色調）は、これら発光素子からの発光と波長変換部材からの発光が合わさったものとなる。
【００３５】
波長変換部材は波長変換材料を含有している。波長変換材料としては、例えば蛍光体を用いることができる。蛍光体は種々の方法で発光装置に設けられる。例えば、発光素子を封止する透光性の封止部材に含有させることができる。
【００３６】
蛍光体としては、発光素子からの光を吸収して別の波長の光を発することのできる蛍光体であれば様々なものを用いることができる。例えば、ユーロピウム、セリウム等のランタノイド系元素で主に賦活される窒化物系蛍光体・酸窒化物系蛍光体、より具体的には、ユーロピウムで賦活されたα又はβサイアロン型蛍光体、各種アルカリ土類金属窒化シリケート蛍光体、ユーロピウム等のランタノイド系元素、マンガン等の遷移金属系元素により主に賦活されるアルカリ土類金属ハロゲンアパタイト蛍光体、アルカリ土類のハロシリケート蛍光体、アルカリ土類金属シリケート蛍光体、アルカリ土類金属ホウ酸ハロゲン蛍光体、アルカリ土類金属アルミン酸塩蛍光体、アルカリ土類金属ケイ酸塩、アルカリ土類金属硫化物、アルカリ土類金属チオガレート、アルカリ土類金属窒化ケイ素、ゲルマン酸塩、セリウム等のランタノイド系元素で主に賦活される希土類アルミン酸塩、希土類ケイ酸塩又はユーロピウム等のランタノイド系元素で主に賦活される有機物及び有機錯体等が挙げられる。特に、青色発光の発光素子と組み合わせる場合、黄色蛍光体であるＹＡＧ系蛍光体、赤色蛍光体であるＳＣＡＳＮやＫＳＦ、緑色蛍光体のβ−ＳｉＡｌＯＮやＬＡＧ系蛍光体等が好適に用いられる。これにより、白色ないし電球色の発光装置を製造することができる。
【００３７】
また、１つの発光装置に２種類以上の蛍光体を用いてもよい。２種類以上の蛍光体は。混合された状態で設けられてもよく、層状に設けられていてもよい。
【００３８】
色度を任意に調節するために、波長変換部材の変形は可逆的であることが好ましい。そのため波長変換部材が固体である場合には、弾性ないし靱性を有することが好ましい。例えば透光性のゴム状の樹脂や封止部材として用いることができる。
【００３９】
また波長変換部材１５は、液状であってもよい。これにより、波長変換部材１５が変形する際、波長変換部材１５が破壊される懸念や、変形時に発光素子１３に圧力がかかって破壊する懸念を少なくすることができる、色度を調整することができる。
【００４０】
封止部材は必要に応じて封止部材に、シリカや酸化チタン等のフィラーを備えていてよい。
【００４１】
（変形部材）
変形部材は、波長変換部材を変形させることが可能な、変形させるための部材である。変形部材の材料や設ける位置は特に限定されず、変形させたい波長変換部材の形状や、発光装置の構造によって適宜選択される。
【００４２】
波長変換部材を変形させ色度を調整するためには、波長変換部材の変形量を任意に調節する必要がある。そのため変形部材は、加圧量を任意に調節できる必要がある。
このように変形部材を駆動する機構としては、例えば圧電素子を備えた圧電アクチュエータやモータ、加圧エアー等を用いることができる。
【００４３】
（保持部材）
保持部材は、少なくとも波長変換部材の上方に設けられ、波長変換部材の表面形状を保持しながら、発光素子から発せられた光や、波長変換部材により発せられた光を透過させる部材であればよい。また波長変換部材を変形させるときに圧力がかかるため、保持部材が変形しないよう剛性の高い物質が好ましい。
【００４４】
保持部材として、例えば透光性のガラスや樹脂等が考えられる。
【００４５】
保持部材は、波長変換部材を変形させる変形部材を兼ねてもよい。例えば、波長変換部材の上方に設けた保持部材の押圧部により波長変換部材を押圧して変形させてもよい。
【００４６】
保持部材が変形部材を兼ねる場合、例えば押圧面をモーターと連動させて移動させる、あるいは押圧面の上面側(波長変換部材と接触していない側)を加圧雰囲気にして移動させることで、波長変換部材を押圧して変形させることができる。
【００４７】
保持部材は、波長変換部材の上方だけでなく、側方にも設けられてもよい。この時、波長変換部材の上方の保持部材を支持する支持部が、保持部材を兼ねてもよい。
【００４８】
その他、発光装置は、例えば、異なる色の発光をする複数の発光素子と蛍光体とを組み合わせたものであってもよい。具体的には、青色発光する発光素子と青色の発光を吸収して緑色発光する蛍光体を用いた発光装置から薄緑色（白色がかった緑色）の光を得て、赤色の発光素子もしくは赤色の発光素子を有する発光装置からの光を混色して白色領域の光を得るようにしてもよい。
【００４９】
なお、発光装置の色度のばらつきは、種々の原因で起こる。例えば、蛍光体の量や分布、発光素子の発光波長、蛍光体の混合比、蛍光体を含有している樹脂等の粘度のばらつき、製造装置や測定装置などの各種装置の消耗やばらつきなどが原因で発生する。
【００５０】
以上、発光装置の色度調整方法について、本発明を実施するための形態について説明したが、本発明は上記実施形態に限定されるものではなく、これらの記載に基づいて種々変更、改変等したものも本発明の趣旨に含まれることはいうまでもない。
【００５１】
また、本明細書の一つの実施形態の記載の構成は、特に困難な場合を除き、別の実施形態にも適用可能である。
【符号の説明】
【００５２】
１１  基板
１２  基板表面の凹部
１３  発光素子
１５  波長変換部材
１７  保持部材
１８  押圧面
１９  変形部材
２０、２０´  支持部
【図１】
2015226002.tif 000003
【図２】
2015226002.tif 000004
【図３Ａ】
2015226002.tif 000005
【図３Ｂ】
2015226002.tif 000006
【図４】
2015226002.tif 000007
【図５】
2015226002.tif 000008
【図６】
2015226002.tif 000009
【図７】
2015226002.tif 000010
【図８】
2015226002.tif 000011
【図９】
2015226002.tif 000012
【図１０Ａ】
2015226002.tif 000013
【図１０Ｂ】
2015226002.tif 000014